(57)【要約】【課題】灯体全体でのコストアップを抑え、多様な場所への取り付けが可能で、かつ小型化・薄型化できる照明装置を提供することである。【解決手段】灯体１は点灯装置取付穴２を有する。ケース本体４は一端部が開口し前記一端部がシール部材２２を介して前記点灯装置取付穴２に密接嵌合する筒状体であって、前記筒状体の前記一端部が前記点灯装置取付穴２に嵌合した状態で前記点灯装置取付穴２の縁部に被さるつば６を前記筒状体の外周面に有する。実装基板は点灯回路部品を実装しケース本体４に収納されている。蓋は実装基板の出力部を挿通する出力用開口部を有してケース本体４の開口を閉塞する。ケース本体４を点灯装置取付穴２に嵌合し回動することで、係合片１０が灯体１の内つば２１の切欠を通り内つば２１に係止する。  【選択図】        図１
2006012534.tif 000002
【特許請求の範囲】
【請求項１】
点灯装置取付穴を有する灯体と、
一端部が開口し前記一端部がシール部材を介して前記点灯装置取付穴に密接嵌合する筒状体であって、前記筒状体の前記一端部が前記点灯装置取付穴に嵌合した状態で前記点灯装置取付穴の縁部に被さるつばを前記筒状体の外周面に有するケース本体と、
前記ケース本体に収納され点灯回路部品を実装した実装基板と、
前記実装基板の出力部を挿通する出力用開口部を有して前記ケース本体の開口を閉塞する蓋と、
前記出力用開口部を通して前記出力部に出力線により接続され前記灯体内に保持されるランプソケットと、
前記ケース本体が前記点灯装置取付穴に嵌合し前記つばが前記点灯装置取付穴の縁部に被さった状態で、前記灯体と前記ケース本体とを固定する固定手段とを備えた照明装置。
【請求項２】
前記点灯装置取付穴は、前記灯体の後部に設けられて前記ランプソケットに装着される放電灯を交換するための開口である請求項１記載の照明装置。
【請求項３】
前記固定手段は、前記点灯装置取付穴の内周に形成され切欠を形成した内つばと、前記ケース本体の開口の縁部に突設されて、前記ケース本体を前記点灯装置取付穴に密接嵌合する際に前記切欠に挿通し、かつ前記ケース本体を回動して前記内つばに係止する係合片とで構成した請求項１または請求項２記載の照明装置。
【請求項４】
前記固定手段は、前記つばに突設された取付片と、前記灯体に設けられた被取付部と、前記ケース本体を前記点灯装置取付穴に密接嵌合した状態で前記取付片を前記被取付部に取付ける取付具とで構成した請求項１または請求項２記載の照明装置。
【請求項５】
前記ケース本体の前記つばよりも前記開口と反対側に前記ケース本体を回動するための回動操作用の凹部を形成した請求項３記載の照明装置。
【発明の詳細な説明】
【技術分野】
【０００１】
この発明は、車両用照明灯等に用いられる放電灯点灯装置を有する照明装置に関するものである。
【背景技術】
【０００２】
従来のこの種の照明装置において、放電灯点灯装置（例えば特許文献１参照）は、図１１および図１２に示すように点灯回路を構成する部品を実装した実装基板１００をケース本体１０１に収納し、ケース本体１０１の開口をシール部材を介して蓋となる取付フランジ１０２で閉じている。この放電灯点灯装置を車両の灯体１０３に取付けるため、取付フランジ１０２の表面に筒状部１０５を突出し、その内側に実装基板１００のコネクタを露出させる孔１０６を形成している。一方灯体１０３には筒状部１０５をシール部材を介して嵌合固定する開口部１０４が形成されている。また孔１０６を通して、コネクタに接続されたハーネス１０９の先端にランプソケット１０８が接続されている。１０７は入力コネクタである。
【特許文献１】特開２００２−３６７４１３
【発明の開示】
【発明が解決しようとする課題】
【０００３】
防水性を確保するためには、筒状部１０５と灯体１０３の開口部１０４との間および取付フランジ１０２とケース本体１０１との間に防水パッキンなどのシール部材を介在する必要がある。また筒状部１０５とケース本体１０１の嵌合を確実にするためには、取付けフランジ１０２として板金加工のような簡素な構成を採用できず、アルミニウムであればダイキャストのようなものになってしまう。その結果、シール部材やダイキャストなどの必要部材が発生し、コスト高になる。
【０００４】
また、近年、前照灯の光源にHIDランプを使用するシステムが、小型車や軽自動車にも普及し始めており、それに伴って、灯具も小型化されてきている。そのため、この種の照明装置も小型、薄型化、軽量化並びに高信頼性の車載用放電灯点灯装置が望まれている。
【０００５】
更に、カーブや交差点での右左折時などでステアリングを操作すると、ヘッドライトのリフレクタの一部がそれに連動し、カーブや交差点などの進行方向を照らすAFS（アダプティブ・フロントライティング・システム）も搭載され始めており、その場合従来、点灯装置が取り付けられていた灯体下面にリフレクタを動かすためのアクチュエータが設置される場合があり、点灯装置の取り付けの容易性も望まれている。
【０００６】
したがって、この発明の目的は、灯体全体でのコストアップを抑え、多様な場所への取り付けが可能で、かつ小型化・薄型化できる照明装置を提供することである。
【課題を解決するための手段】
【０００７】
この発明の照明装置は、灯体が点灯装置取付穴を有する。ケース本体は一端部が開口し前記一端部がシール部材を介して前記点灯装置取付穴に密接嵌合する筒状体であって、前記筒状体の前記一端部が前記点灯装置取付穴に嵌合した状態で前記点灯装置取付穴の縁部に被さるつばを前記筒状体の外周面に有する。実装基板は前記ケース本体に収納され点灯回路部品を実装している。蓋は前記実装基板の出力部を挿通する出力用開口部を有して前記ケース本体の開口を閉塞する。ランプソケットは前記出力用開口部を通して前記出力部に出力線により接続され前記灯体内に保持される。固定手段は前記ケース本体が前記点灯装置取付穴に嵌合し前記つばが前記点灯装置取付穴の縁部に被さった状態で、前記灯体と前記ケース本体とを固定する。
【０００８】
上記構成において、前記灯体の点灯装置取付穴は、灯体の後部に設けられて前記ランプソケットに装着される放電灯を交換するための開口である。
【０００９】
上記構成において、前記固定手段は、前記点灯装置取付穴の内周に形成され切欠を形成した内つばと、前記ケース本体の開口の縁部に突設されて、前記ケース本体を前記点灯装置取付穴に密接嵌合する際に前記切欠に挿通し、かつ前記ケース本体を回動して前記内つばに係止する係合片とで構成している。
【００１０】
上記構成において、前記固定手段は、前記つばに突設された取付片と、前記灯体に設けられた被取付部と、前記ケース本体を前記点灯装置取付穴に密接嵌合した状態で前記取付片を前記被取付部に取付ける取付具とで構成している。
【００１１】
上記構成において、前記ケース本体の前記つばよりも前記開口と反対側に前記ケース本体を回動するための回動操作用の凹部を形成している。
【発明の効果】
【００１２】
この発明の照明装置によれば、ケース本体が筒状で外周につばを有し、つばよりも開口側を灯体の点灯装置取付穴にシール部材を介して密接嵌合するため、蓋は灯体の点灯装置取付穴の内部に位置するので、蓋とケース本体の開口との間にシール部材が不要となり、低コストが可能となる。またケース本体のつばよりも開口側が従来例の筒状部の役割を果たすため、従来例よりも小型薄形化でき軽量化できる。
【００１３】
灯体の点灯装置取付穴を灯体の後部の放電灯を交換するための開口とすると、放電灯点灯装置が開口を閉塞するバルブキャップを兼用するので、放電灯点灯装置を灯体下部の開口部に取り付けていたときに必要であったバルブキャップが不要となり、更なるコストダウンを図れるとともに、灯体の下部にAFS用の部品（アクチュエータ等）を配置するスペースを設けることができ、灯体としても小型化が可能となる。
【００１４】
ケース本体の開口縁に係合片を形成し、点灯装置取付穴の内つばに切欠を形成して、ケース本体を点灯装置取付穴に差し込み回転してケース本体を取付けることができるようにすると、取付作業を容易にすることができる。
【００１５】
つばに取付片を設け取付片でねじ等の取付具を用いてケース本体を灯体に取付けるようにすると、放電灯点灯装置の置き換えが容易になる。
【００１６】
ケース本体に凹部を設けることにより、ケース本体を手で把持しやすくなり、ケース本体を回動して固定する作業性を良好にすることができる。また凹部の位置でケース本体の内面が突出し、実装基板の部品に近づくのでケース本体への放熱が容易になり、部品の温度上昇を低減することができる。
【発明を実施するための最良の形態】
【００１７】
この発明の第１の実施の形態を図１から図３により説明する。車両用前照灯等の照明装置は放電灯点灯装置が灯体１の点灯装置取付穴２に取付けられる。放電灯点灯装置は、実装基板３を収納するケース本体４を筒状体により形成し、ケース本体４の一端に開口５を形成し、外周面につば６を形成し、開口５を蓋７で閉塞している。
【００１８】
実装基板３は、放電灯８を点灯させるための点灯回路を構成する部品を実装したプリント基板であり、点灯回路は、その入力部に接続された入力コネクタを介して直流電源から得られる直流電力を交流電力に変換し、出力部に接続された出力コネクタを介して放電灯８に電力を供給するように構成している。また実装基板３は、ねじ挿通用の穴部９を設けている。
【００１９】
ケース本体４は金属製であり、開口５の縁部に複数の係合片１０を外周面より外向きに突設している。またつば６の開口５と反対側に放熱フィン１１を設けている。ケース本体４の内底面に実装基板３の穴部９に整合するねじ孔（図示せず）を設け、穴部９にねじ（図示せず）を通してねじ孔にねじ締めし、実装基板３をケース本体４に固定する。さらに蓋７を固定するためのねじ孔部１２をケース本体４の内底面より開口５に向けて突設している。
【００２０】
蓋７も金属製であり、入力コネクタおよび出力コネクタを通すための開口部１３、１４を形成するとともにねじ孔部１２に整合するねじ挿通部１５を形成している。蓋７でケース本体４の開口５を閉じ、ねじ挿通部１５にねじ１６を挿通してねじ孔部１２にねじ込むことにより蓋７がケース本体４に固定される。
【００２１】
入力コネクタ２４には直流電源（図示せず）に接続された電源線の電源電圧供給用の入力カプラが接続される。出力コネクタ２５には出力線であるハーネス１７の出力カプラが接続される。ハーネスは放電灯８に印加する高圧パルスを発生するイグナイタ回路部を内蔵したランプソケット１８に接続される。ランプソケット１８に放電灯８が装着される。
【００２２】
灯体１は内部にリフレクタ１９を設け、側部に点灯装置取付穴２を形成しており、車体に取付けられている。リフレクタ１９のソケット取付穴部２０より内部に放電灯８が装入され、ランプソケット１８がソケット取付穴部２０に取付けられる。点灯装置取付穴２は内周面に係止部として内つば２１を形成している。内つば２１には係合片１０を挿通させる切欠（図示せず）を形成している。またＯリング等のシール部材２２を点灯装置取付穴８の内周面と内つば２１に接触するように配置している。ケース本体４の開口５側を点灯装置取付穴２に嵌合し、係合片１０を切欠に通して回動すると係合片１０が内つば２１に係止しケース本体４が取付け状態となる。このとき、シール部材２２が点灯装置取付穴２の内周面とケース本体４の外周面との間で内つば２１とつば６との間に圧縮されシール部材２２の表面がこれらに密接するとともにシール部材２２の摩擦抵抗によりケース本体４の回動が規制され固定状態が維持される。なお係合片１０と内つば２１で固定手段が構成される。
【００２３】
この実施の形態によれば、ケース本体４の開口５は灯体１の内部に収納されるため、ケース本体４自体にシールを施す必要がないので、部材コストおよび組立コストを低減することができるとともに、蓋７は板金等簡素な形状で構成することが可能となるので、コストを低減することができる。一方、ケース本体４と灯体１はＯリングで簡単に嵌合することができ、コストも低減でき、かつ断面円形で外形が円形のＯリングという環状のシール部材２２を使うことにより、角形のパッキンに比べ、嵌合時のシール部材２２への応力が均一化され、灯体４の点灯装置取付穴２とケース本体４の間のシール性を確保し易くなる。
【００２４】
この発明の第２の実施の形態を図４から図７に示す。この照明装置は放電灯点灯装置を第１の実施の形態の灯体１の下部に代えて、灯体１の後部の開口２７に取付けている。すなわち灯体１の後部のランプソケット１８に対向する部分は、通常はバルブキャップで閉じられた、放電灯８を交換するための開口２７が形成されており、この開口２７を第１の実施の形態に示す点灯装置取付穴として車載用放電灯点灯装置を取付ける。ケース本体４と灯体１の取付構造は第１の実施の形態のケース本体４と灯体１の取付構造と同様である。すなわち、係合片１０はケース本体４の開口５の縁部に複数例えば４個突設している。係合片１０の突出方向はケース本体の外周面より突出する方向すなわち径方向である。点灯装置取付穴である開口２７の内つば２１には係合片１０を挿通する切欠２８を形成している。したがって、ケース本体４を開口２７にシール部材２２を介して密接嵌合し、係合片１０を切欠２８に通しケース本体４を回動して抜止めする。その他は第１の実施の形態と同構成である。
【００２５】
第２の実施の形態によれば、灯体１の下部に放電灯点灯装置が位置せず空間が存在することとなり、AFSにおいてリフレクタ部を稼動させるためのアクチュエータ等をその空間に設置することが可能となる。そのため、前照灯全体として小型化を図ることが可能であるとともに灯体組立時の作業工数の削減や放電灯のメンテナンス時にも作業がし易くなる。さらにバルブキャップが不要となる。
【００２６】
なお、係合片１０および切欠２８の数は４個に限らない。
【００２７】
この発明の第３の実施の形態を図８および図９により説明する。この照明装置は、第１の実施の形態の係合片１０と内つば２１で構成される固定手段に代えて、固定手段をつぎのように構成している。すなわち、ケース本体４のつば６に複数例えば３個の取付片２９を突設している。各取付片２９には取付孔３０を形成している。一方灯体６に取付片２９に対向して被取付部であるねじ孔３５を形成している。
【００２８】
灯体１の点灯装置取付穴２にケース本体４をシール部材２２を介して密接嵌合し、取付孔３０にねじ３６を通してねじ孔３５に締めつけケース本体４を灯体１に固定する。その他は第１の実施の形態と同様である。
【００２９】
第３の実施の形態によれば、灯体１とケース本体４とを取付具例えばねじ３６の締め付けにより行うことが可能となり、放電灯点灯装置の置き換えが容易になる。なおこの放電灯点灯装置は灯体４の下面に点灯装置取付穴がある第１の実施の形態のほか、灯体の後面に点灯装置取付穴がある第２の実施の形態に適用することができる。
【００３０】
なお、ねじ孔３５は防水を考慮して有底としているが、灯体１の内部に連通しない構成であればよい。またシール部材２２の支持のため内つば２１は存するのが好ましい。さらに取付具はねじに限らず他の手段でもよい。
【００３１】
この発明の第４の実施の形態を図１０により説明する。この照明装置は、第１の実施の形態および第２の実施の形態において、ケース本体４のつば６より開口５と反対側の外周面の一部を切欠いて凹部３２を形成している。凹部３２の形状は第３の実施の形態の図８と同様であるが、断面略Ｖ字形で外周面の２箇所に端面に開口するように形成している。
【００３２】
第４の実施の形態によれば、ケース本体４を灯体１の点灯装置取付穴２に差し込み回転する際に、凹部３２が手の引っ掛かりとなるので、ケース本体４を把持しやすくなりケース本体４を回転しやすくなる。このため、作業効率が上がり組立コストを低減することができる。また凹部３２のケース本体４の内側が実装基板３の部品に近づくため、ケース本体４への放熱が容易になり、部品の温度上昇を低減することができる。
【００３３】
なお、係合片１０は弾性つめにより形成して内つば２１の切欠２８をなくしてもよい。
また内つば２１に限らず係合片１０を係止する係止部であればよい。
【図面の簡単な説明】
【００３４】
【図１】この発明の第１の実施の形態の断面図である。
【図２】放電灯点灯装置の斜視図である。
【図３】その分解斜視図である。
【図４】第２の実施の形態の断面図である。
【図５】放電灯点灯装置の平面図である。
【図６】放電灯点灯装置を取付けた状態の灯体の背面図である。
【図７】放電灯点灯装置を外した状態の灯体の背面図である。
【図８】第３の実施の形態の放電灯点灯装置の斜視図である。
【図９】放電灯点灯装置を取付けた灯体の断面図である。
【図１０】第４の実施の形態の放電灯点灯装置の斜視図である。
【図１１】従来例の放電灯点灯装置の分解斜視図である。
【図１２】照明装置の断面図である。
【符号の説明】
【００３５】
１    灯体
２    点灯装置取付穴
３    実装基板
４    ケース本体
５    開口
６    つば
７    蓋
８    放電灯
９    穴部
１０    係合片
１４    出力用開口部
２１    内つば
２２    シール部材
２７    開口
２８    切欠
２９    取付片
３２    凹部
【図１】
2006012534.tif 000003
【図２】
2006012534.tif 000004
【図３】
2006012534.tif 000005
【図４】
2006012534.tif 000006
【図５】
2006012534.tif 000007
【図６】
2006012534.tif 000008
【図７】
2006012534.tif 000009
【図８】
2006012534.tif 000010
【図９】
2006012534.tif 000011
【図１０】
2006012534.tif 000012
【図１１】
2006012534.tif 000013
【図１２】
2006012534.tif 000014